(57)【要約】  本発明の競技義足用ソールは、底面の、幅方向に延在する前後切り替え線よりも前後方向の一方側に、溝により区画され、前後方向の他方側に尖った第一の尖り部分を有する複数の第一のブロックが形成され、前記前後切り替え線は、前後方向の両端の前後方向の中心位置よりも前後方向の他方側に位置する。
2020022292.tif 000002
【特許請求の範囲】
【請求項１】
底面の、幅方向に延在する前後切り替え線よりも前後方向の一方側に、溝により区画され、前後方向の他方側に尖った第一の尖り部分を有する複数の第一のブロックが形成され、
前記前後切り替え線は、前後方向の両端の前後方向の中心位置よりも前後方向の他方側に位置することを特徴とする、競技義足用ソール。
【請求項２】
前記前後切り替え線よりも前後方向の前記他方側に、溝により区画され、前後方向の前記一方側に尖った第二の尖り部分を有する複数の第二のブロックが形成された、請求項１に記載の競技義足用ソール。
【請求項３】
平面視において、
前記第一のブロックの前記第一の尖り部分は、２つの第一の辺からなり、
前記２つの第一の辺は、第一の屈曲部で接続され、
前記第一の屈曲部を境界として、前記２つの第一の辺のうち一方の第一の辺は、前後方向の前記一方側から前記他方側へ向かって、幅方向の一方側へ延び、前記２つの第一の辺のうち他方の第一の辺は、前後方向の前記一方側から前記他方側へ向かって、幅方向の他方側へ延び、
前記２つの第一の辺は、それぞれ、幅方向に対して６０〜８７．５°の傾斜角度で延びる、請求項１又は２に記載の競技義足用ソール。
【請求項４】
平面視において、
前記第二のブロックの前記第二の尖り部分は、２つの第二の辺からなり、
前記２つの第二の辺は、第二の屈曲部で接続され、
前記第二の屈曲部を境界として、前記２つの第二の辺のうち一方の第二の辺は、前後方向の前記一方側から前記他方側へ向かって、幅方向の前記一方側へ延び、前記２つの第二の辺のうち他方の第二の辺は、前後方向の前記一方側から前記他方側へ向かって、幅方向の前記他方側へ延び、
前記２つの第二の辺は、それぞれ、幅方向に対して６０〜８７．５°の傾斜角度で延びる、請求項３に記載の競技義足用ソール。
【請求項５】
前記前後切り替え線よりも前後方向の前記他方側の溝面積比率は、前記前後切り替え線よりも前後方向の前記一方側の溝面積比率より大きい、請求項１〜４のいずれか一項に記載の競技義足用ソール。
【請求項６】
前後方向の前記一方側の端から前記前後切り替え線までの前後方向の距離をｄとし、前後方向の前記一方側の端から前記他方側の端までの前後方向の距離をＤとするとき、関係式、
０．２５≦ｄ／Ｄ≦０．８
を満たす、請求項１〜５のいずれか一項に記載の競技義足用ソール。
【請求項７】
前後方向の前記一方側が、競技義足装着時前側となり、
前後方向の前記他方側が、競技義足装着時後側となる、請求項１〜６のいずれか一項に記載の競技義足用ソール。
【発明の詳細な説明】
【技術分野】
【０００１】
本発明は、競技用の義足の接地域に装着される、競技義足用ソールに関するものである。
【背景技術】
【０００２】
従来、競技用の義足（以下、競技義足又は単に義足ともいう）の接地域の下面に、路面と当接するソールを取付けることが行われている。【０００３】
例えば、特許文献１では、湾曲した板ばね状の競技義足の下面に取り付けられた、競技種目に応じた様々なソールが提案されている。具体的には、特許文献１には、路面に接地するソールの底面にスパイクが取り付けられたもの等が記載されている。
【先行技術文献】
【特許文献】
【０００４】
【特許文献１】特開２０１６−１５０１８９号公報
【発明の概要】
【発明が解決しようとする課題】
【０００５】
しかしながら、特許文献１に記載のソールでは、排水性が十分ではなかった。【０００６】
そこで、本発明は、排水性を向上させた競技義足用ソールを提供することを目的とする。
【課題を解決するための手段】
【０００７】
本発明の要旨構成は、以下の通りである。
本発明の競技義足用ソールは、
底面の、幅方向に延在する前後切り替え線よりも前後方向の一方側に、溝により区画され、前後方向の他方側に尖った第一の尖り部分を有する複数の第一のブロックが形成され、
前記前後切り替え線は、前後方向の両端の前後方向の中心位置よりも前後方向の他方側に位置することを特徴とする、競技義足用ソール。
【発明の効果】
【０００８】
本発明によれば、排水性を向上させた、競技義足用ソールを提供することができる。
【図面の簡単な説明】
【０００９】
【図１】本発明の一実施形態にかかる競技義足用ソールの底面のパターンを示す展開図である。
【図２】ソールが装着された状態の競技義足の一例を示す概略側面図である。
【図３Ａ】ブロックの高さについて説明するための図である。
【図３Ｂ】ブロックの高さについて説明するための図である。
【図４】比較例の競技義足用ソールの底面のパターンを示す展開図である。
【図５】ブロックの先端幅について説明するための図である。
【発明を実施するための形態】
【００１０】
以下、本発明の実施形態について、図面を参照して詳細に例示説明する。
【００１１】
＜競技義足用ソール＞
本発明の一実施形態にかかる競技義足用ソールは、特には限定されないが、例えば厚さ１．０〜１０．０ｍｍ（好ましくは、２．０〜３．５ｍｍ）の、頂面及び底面を有するシート状の形状である。本実施形態のソールは、頂面が競技義足の接地域に装着され、一方で、底面が路面と接地する。本発明では、装着される競技義足の種類等は、特に限定されず、任意の既知のタイプのものに装着することができる。装着は、例えば接着剤等による接着で行うことができる。なお、競技義足の例については後述する。ソールの材質等は特に限定されず、通常用いるゴム等を用いることができる。
【００１２】
図１は、本発明の一実施形態にかかる競技義足用ソールの底面１０のパターンを示す展開図である。図１は、ソールの底面１０の一部を示している。図１に示すように、本実施形態のソールは、底面１０の少なくとも一部の領域（図示例では全域）に、溝１１により区画され、複数のブロック１２を有している。本実施形態の競技義足用ソールは、装着する義足が土踏まずを有しないため、底面１０の全面に（例えば図１に示すような）パターンが形成されている。なお、本実施形態の競技義足用ソールを、中間層（クッション）を介して、競技義足に装着した場合、中間層（クッション）の厚さや材質を均一とすることが好ましい。
【００１３】
図１に示すように、本実施形態では、幅方向に延在する前後切り替え線Ｌを境界として、前後方向でパターンを異ならせている。前後切り替え線は、前後方向の両端の前後方向の中心位置よりも前後方向の他方側に位置している。
【００１４】
図１に示す実施形態では、底面１０の、前後切り替え線Ｌよりも前後方向の一方側に、溝１１により区画され、前後方向の他方側に尖った第一の尖り部分１３を有する複数の第一のブロック１２ａが形成されている。この例では、底面１０の、前後切り替え線Ｌよりも前後方向の一方側の全てのブロック１２（ブロック１２の全ての部分が前後切り替え線Ｌよりも前後方向の一方側に位置するもの）が、前後方向の他方側に尖った第一の尖り部分１３を有する形状をなしている。
また、図１に示す実施形態では、底面１０の、前後切り替え線Ｌよりも前後方向の他方側に、溝１１により区画され、前後方向の一方側に尖った第二の尖り部分１４を有する複数の第二のブロック１２ｂが形成されている。この例では、底面１０の、前後切り替え線Ｌよりも前後方向の他方側の全てのブロック１２（ブロック１２の全ての部分が前後切り替え線Ｌよりも前後方向の他方側に位置するもの）が、前後方向の一方側に尖った第二の尖り部分１４を有する形状をなしている。
【００１５】
図１に示す実施形態では、その一部が、底面１０の、前後切り替え線Ｌ上に位置する第三のブロック１２ｃが形成されている。第三のブロック１２ｃは、第三のブロック１２ｃの中心部から放射状に突出する部分（図示例では４つの部分）を有している。なお、第三のブロック１２ｃの形状は、特に限定されず、例えば、上記突出する部分は、３つ以下でも良いし、５つ以上でも良い。あるいは、第一のブロック１２ａや第二のブロック１２ｂと同様の形状とすることもできる。
【００１６】
図１に示すように、平面視において、第一のブロック１２ａの第一の尖り部分１３は、２つの第一の辺１３ａ、１３ｂからなり、２つの第一の辺１３ａ、１３ｂは、第一の屈曲部１３ｃで接続され、第一の屈曲部１３ｃを境界として、２つの第一の辺のうち一方の第一の辺１３ａは、前後方向一方側から他方側へ向かって、幅方向一方側へ延び、２つの第一の辺のうち他方の第一の辺１３ｂは、前後方向一方側から他方側へ向かって、幅方向他方側へ延びている。この例では、２つの第一の辺１３ａ、１３ｂは、それぞれ、幅方向に対して６０〜８７．５°（好ましくは、７０〜８２°）の傾斜角度で延びている。また、この例では、第一の辺１３ａ、１３ｂのなす鋭角側の角度は、５〜６０°（好ましくは、１５〜３０°）とされている。なお、図５に示すように、第一のブロック１２ａの第一の尖り部分１３の先端幅ｗは、０〜７ｍｍとすることが好ましく、１．５〜２．５ｍｍとすることがより好ましい。図１に示す例では、第一のブロック１２ａの第一の尖り部分１３の先端幅ｗは、０ｍｍである。
【００１７】
また、図１に示すように、平面視において、第二のブロック１２ｂの第二の尖り部分１４は、２つの第二の辺１４ａ、１４ｂからなり、２つの第二の辺１４ａ、１４ｂは、第二の屈曲部１４ｃで接続され、第二の屈曲部１４ｃを境界として、２つの第二の辺のうち一方の第二の辺１４ａは、前後方向一方側から他方側へ向かって、幅方向一方側へ延び、２つの第二の辺のうち他方の第二の辺１４ｂは、前後方向一方側から他方側へ向かって、幅方向他方側へ延びている。この例では、２つの第二の辺１４ａ、１４ｂは、それぞれ、幅方向に対して６０〜８７．５°（好ましくは、７０〜８２°）の傾斜角度で延びている。また、この例では、第二の辺１４ａ、１４ｂのなす鋭角側の角度は、５〜６０°（好ましくは、１５〜３０°）とされている。なお、図５に示すように、第二のブロック１２ｂの第二の尖り部分１４の先端幅ｗは、０〜７ｍｍとすることが好ましく、１．５〜２．５ｍｍとすることがより好ましい。図１に示す例では、第二のブロック１２ｂの第二の尖り部分１４の先端幅ｗは、０ｍｍである。
【００１８】
各第一のブロック１２ａは、前後方向一方側の側壁が、前後方向の一方側から他方側に向かって凹んだ凹部１２ｄを有する。また、各第二のブロック１２ｂは、前後方向他方側の側壁が、前後方向の他方側から一方側に向かって凹んだ凹部１２ｅを有する。これにより、第一の尖り部分１３や第二の尖り部分１４によって、溝１１の溝幅が小さくなり過ぎないようにして、排水性を向上させることができる。
【００１９】
第一のブロック１２ａの前後方向一方側（図示例では爪先側）の一部は、高さが略一定のブロックであり、また、第一のブロック１２ａの前後方向他方側（図示例では踵側）の一部は、図示例では２段の階段状の（すなわち、高さが異なる部分を有する）ブロックである。また、第二のブロック１２ｂは、この例では全て階段状のブロックである。また、第三のブロック１２ｃは、この例では全て階段状のブロックである。
【００２０】
第一のブロック１２ａの階段状のブロックでは、前後方向一方側から他方側に向かって、  階段状ブロックの平面視での面積に対する、最も高い段の平面視での面積の割合が漸減している。同様に、第二のブロック１２ｂの階段状のブロックでも、前後方向一方側から他方側に向かって、階段状ブロックの平面視での面積に対する、最も高い段の平面視での面積の割合が漸減している。
【００２１】
図３Ａ、図３Ｂは、ブロックの高さについて説明するための図である。
ここで、高さが略一定のブロック１２ａのブロック高さ（溝１１の深さ）ｈ１（ｍｍ）は、特に限定されないが、１．０〜７．０ｍｍとすることが好ましく、２．０〜３．５ｍｍとすることがより好ましく、２．４ｍｍ〜３．５ｍｍとすることがさらに好ましい。
同様に、階段状のブロック１２ｂのブロック全体の高さをｈ１（ｍｍ）とし、ブロック１２ｂの頂部を有する最も高い段の高さをｈ２（ｍｍ）とするとき、例えば図４Ａに示すように、階段状のブロック１２ｂが２段である場合、ｈ１を１．０〜７．０ｍｍ、ｈ２ を０．５〜２．５ｍｍとすることが好ましく、ｈ１を２．０〜３．５ｍｍ 、ｈ２を０．７〜１．５ｍｍとすることがより好ましく、ｈ１を２．４ｍｍ〜３．５ｍｍ、ｈ２を１．２ｍｍ〜１．５ｍｍとすることがさらに好ましい。
なお、例えば図４Ｂに示すように、階段状のブロック１２ｂが３段以上である場合も、最も高い段でのブロック高さをｈ２として、ｈ１を１．０〜７．０ｍｍ、ｈ２ を０．５〜２．５ｍｍとすることが好ましく、ｈ１を２．０〜３．５ｍｍ 、ｈ２を０．７〜１．５ｍｍとすることがより好ましく、ｈ１を２．４ｍｍ〜３．５ｍｍ、ｈ２を１．２ｍｍ〜１．５ｍｍとすることがさらに好ましい。
【００２２】
図１に示す実施形態では、複数の第一のブロック１２ａが前後方向に並んだ列を、幅方向に複数列（図示内では１０列）有している。そして、幅方向に隣接する列間では、前後方向に位相をずらして（図示例では、第一のブロック１２ａの前後方向の長さの半分程度位相をずらして）配置されている。図１に示す実施形態では、複数の第二のブロック１２ｂが前後方向に並んだ列を、幅方向に複数列（図示内では１０列）有している。そして、幅方向に隣接する列間では、前後方向に位相をずらして（図示例では、第二のブロック１２ｂの前後方向の長さの半分程度位相をずらして）配置されている。なお、第三のブロック１２ｃについても、幅方向に隣接する第三のブロック１２ｃ同士が前後方向に位相をずらして（図示例では、第三のブロック１２ｃの前後方向の長さの半分程度位相をずらして）配置されている。
このような配置とすることにより、ブロックを均一に配置して、排水性と耐摩耗性とを高い次元で両立させることができる。
【００２３】
図１に示す実施形態では、前後切り替え線Ｌよりも前後方向の他方側の溝面積比率は、前後切り替え線Ｌよりも前後方向の一方側の溝面積比率より大きい。なお、図示例では、前後方向一方側から他方側に向かって、溝面積比率は略漸増している。
【００２４】
また、平面視において、一部の第１のブロック１２ａ及び一部の第２のブロック１２ｂは、面取りされてなる側壁を有し、前後方向の斜めに隣接するブロックの一の側壁と上記面取りされてなる側壁とが、互いに略平行に延在している。これにより、荷重時に、前後方向の斜めに隣接するブロック１２間で支え合って、耐摩耗性を向上させることができる。
以下、本実施形態の競技義足用ソールの作用効果について説明する。以下の作用効果については、本実施形態の競技義足用ソールを競技義足の接地域に装着した際のものである。
【００２５】
本実施形態の競技義足用ソールによれば、底面１０の、幅方向に延在する前後切り替え線Ｌよりも前後方向の一方側に、溝１１により区画され、前後方向の他方側に尖った第一の尖り部分１３を有する複数の第一のブロック１２ａが形成され、前後切り替え線Ｌは、前後方向の両端の前後方向の中心位置よりも前後方向の他方側に位置しているため、前後切り替え線Ｌよりも前後方向の一方側の部分において、水が第一の尖り部分１３の第一の辺１３ａ、１３ｂに沿って、前後切り替え線Ｌ（例えば接地ライン）から前後方向一方側へ向かって排出されやすくなり、排水性を向上させることができる。さらに、本実施形態の競技義足用ソールでは、底面１０の、前後切り替え線Ｌよりも前後方向の他方側に、溝１１により区画され、前後方向の一方側に尖った第二の尖り部分１４を有する複数の第二のブロック１２ｂが形成されているため、前後切り替え線Ｌよりも前後方向の他方側の部分においても、水が第二の尖り部分１４の第二の辺１４ａ、１４ｂに沿って、前後切り替え線Ｌ（例えば接地ライン）から前後方向他方側へ向かって排出されやすくなって、排水性を向上させることができる。
以上のように、本実施形態の競技義足用ソールによれば、排水性を向上させることができる。
【００２６】
本発明では、図１に示す実施形態のように、平面視において、前後方向の他方側に違った、第一のブロック１２ａの第一の尖り部分１３は、２つの第一の辺１３ａ、１３ｂからなり、２つの第一の辺１３ａ、１３ｂは、第一の屈曲部１３ｃで接続され、第一の屈曲部１３ｃを境界として、２つの第一の辺のうち一方の第一の辺１３ａは、前後方向一方側から他方側へ向かって、幅方向一方側へ延び、２つの第一の辺のうち他方の第一の辺１３ｂは、前後方向一方側から他方側へ向かって、幅方向他方側へ延び、２つの第一の辺１３ａ、１３ｂは、それぞれ、幅方向に対して６０〜８７．５°の傾斜角度で延びることが好ましく、７０〜８２°の傾斜角度で延びることがより好ましい。第一の辺がそれぞれ前後方向一方側から他方側へ向かって、幅方向の互いに逆方向に延びることにより、排水が促進されるからである。そして、その際に、２つの第一の辺１３ａ、１３ｂは、それぞれ、幅方向に対して６０°以上（より好ましくは７０°以上）の傾斜角度で延びることにより、前後方向への排水がより促進され、一方で、８７．５°以下（より好ましくは８２°以下）の傾斜角度で延びることにより、第一のブロック１２ａの剛性が低下しすぎないようにして、耐摩耗性を向上させることができるからである。
【００２７】
本発明では、図１に示す実施形態のように、平面視において、前後方向の一方側に尖った、第二のブロック１２ｂの第二の尖り部分１４は、２つの第二の辺１４ａ、１４ｂからなり、２つの第二の辺１４ａ、１４ｂは、第二の屈曲部１４ｃで接続され、第二の屈曲部１４ｃを境界として、２つの第二の辺のうち一方の第二の辺１４ａは、前後方向一方側から他方側へ向かって、幅方向一方側へ延び、２つの第二の辺のうち他方の第二の辺１４ｂは、前後方向一方側から他方側へ向かって、幅方向他方側へ延び、２つの第二の辺１４ａ、１４ｂは、それぞれ、幅方向に対して６０〜８７．５°の傾斜角度で延びることが好ましく、７０〜８２°の傾斜角度で延びることがより好ましい。第二の辺がそれぞれ前後方向一方側から他方側へ向かって、幅方向の互いに逆方向に延びることにより、排水が促進されるからである。そして、その際に、２つの第二の辺１３ａ、１３ｂは、それぞれ、幅方向に対して６０°以上（より好ましくは７０°以上）の傾斜角度で延びることにより、前後方向への排水がより促進され、一方で、８７．５°以下（より好ましくは８２°以下）の傾斜角度で延びることにより、第二のブロック１２ｂの剛性が低下しすぎないようにして、耐摩耗性を向上させることができるからである。
【００２８】
本発明では、図１に示す実施形態のように、前後切り替え線Ｌよりも前後方向の他方側（図示例では踵側）の溝面積比率は、前後切り替え線Ｌよりも前後方向の一方側（図示例では爪先側）の溝面積比率より大きいことが好ましい。比較的摩耗の大きい爪先側で耐摩耗性を向上させ、一方で、比較的摩耗の小さい踵側で排水性を向上させることにより、排水性と耐摩耗性とを高い次元で両立させることができるからである。
【００２９】
本発明では、前後方向の一方側の端から前後切り替え線Ｌまでの前後方向の距離をｄとし、前後方向の一方側の端から他方側の端までの前後方向の距離をＤとするとき、関係式、
０．２５≦ｄ／Ｄ≦０．８
を満たすことが好ましく、関係式、
０．３３≦ｄ／Ｄ≦０．５
を満たすことがより好ましい。
最初に接地する前後方向の位置は、上記の範囲となることが多く、より一層、水が接地ラインから前後方向一方側（及び／又は他方側）へ向かって排出されやすくなって、排水性をさらに向上させることができるからである。
競技種目や競技者等によっては、関係式、０．３３≦ｄ／Ｄ≦０．４、を満たすことが好ましく、あるいは、０．４≦ｄ／Ｄ≦０．５５、を満たすことが好ましく、あるいは、０．５５≦ｄ／Ｄ≦０．８、を満たすことが好ましい。
【００３０】
また、本発明は、図１に示す実施形態のように、底面１０の、前後切り替え線Ｌ上に位置する第三のブロック１２ｃは、第三のブロック１２ｃの中心部から放射状に突出する部分を有することが好ましい。前後切り替え線Ｌ付近（例えば接地ライン）においてエッジ成分を増大させつつも、中心部から放射状に溝を排出しやすくなり、駆動性と排水性とを高い次元で両立させることができるからである。
なお、ソールの底面１０のパターンでは、溝の溝壁及び溝底に、フッ素が塗布されていることが好ましい。溝の溝壁及び溝底にフッ素が塗布されていることによって、ソールの底面１０における排水性能を高めることができるからである。
【００３１】
＜競技義足＞
以下、本発明の競技義足用ソールが装着される競技義足について例示説明する。なお、上述したように、本発明の競技義足用ソールは、装着される競技義足の種類等は、特に限定されず、任意の既知のタイプのものに装着することができる。
図２は、ソールが装着された状態の競技義足の一例を示す概略側面図である。競技義足１は、この例で板ばね状の足部２を有し、その先端側の接地域にソール３を装着する。なお、図示は省略しているが、足部２の基端部は、アダプタを介してソケットに接続され、ソケットに着用者の足の断端を収容することによって、着用者が義足を着用することができる。アダプタ及びソケットは、大腿義足、下腿義足等、足の断端位置に応じたものが用いられる。
【００３２】
以下、この例では、競技義足１の高さ方向において、足部２がアダプタと接続される側を接続側といい、路面Ｓと接地する側を接地側という。また、競技義足１の爪先Ｔとは、足部２が接続側から延びて終端する最先の位置を指す。
【００３３】
この例において、競技義足１の足部２は、接続側から接地側へ順に、直線部２ａ、爪先Ｔ側へ凸の曲線部２ｂ、足部前後方向の後側へ凸の湾曲部２ｃ、接地側に凹の曲線部２ｄ及び接地側に凸となる弧状に爪先Ｔ側に延びる接地部２ｅからなる。競技義足１の足部２は、少なくとも１つ（図示例では１つ）の湾曲部２ｃを介して、爪先Ｔ側へ板状に延びる形状を有している。
【００３４】
なお、足部２の材質は、特に限定されないが、強度及び軽量化の観点から、炭素繊維強化プラスチック等を用いることが好ましい。
【００３５】
接地部２ｅは、接地側に、爪先Ｔから曲線部２ｄ側へ弧状に延在する接地域２ｆを有し、この接地域２ｆにソール３が装着されている。接地域２ｆは、競技義足１を装着した装着者が直進走行動作を行った際に、路面Ｓと当接する全領域を指し、ソール３が装着された状態では、接地域２ｆは、ソール３を介して路面Ｓと当接する。
【００３６】
ソール３は、接地域２ｆの延在形状に従う形状を有している。また、ソール３の接地側が、底面１０である。図３に示すとおり、底面１０は、爪先Ｔ側から曲線部２ｄ側へ、弧Ｘ１及びＸ２が連なる形状を有している。この例では、弧Ｘ１と弧Ｘ２とは、互いに異なる曲率半径を有しているが、同じ曲率半径を有していてもよい。
【００３７】
また、底面１０は、競技義足１が装着され、装着者の直立状態における路面Ｓとの平面視での接点である点Ｃを通って、幅方向Ｗに延びる線を境界とする一方側と他方側で、異なる性能を備えている。この例では、点Ｃは、直立に至る際に最初に路面Ｓと接触する点である。すなわち、直立状態とは、競技義足１の装着者が、一方のみが義足の場合は義足を着用しない健常足で、両方が義足の場合は、一方の義足で体を支えた状態から、競技義足１を路面Ｓに降ろして最初に路面Ｓと接触した状態を指す。
上記の前後切り替え線Ｌは、競技義足を着用した着用者の直立状態における路面との接点を通る線とすることも好ましい。
【符号の説明】
【００３８】
１：競技義足、  ２：足部、  ３：ソール、
１０：底面、  １１：溝、  １２：ブロック
１２ａ：第一のブロック、  １２ｂ：第二のブロック、  
１２ｃ：第三のブロック、  １２ｄ：凹部、  
１２ｅ：凹部、  １３：第一の尖り部分、  
１４：第二の尖り部分、  Ｌ：前後切り替え線
【図１】
2020022292.tif 000003
【図２】
2020022292.tif 000004
【図３Ａ】
2020022292.tif 000005
【図３Ｂ】
2020022292.tif 000006
【図４】
2020022292.tif 000007
【図５】
2020022292.tif 000008
【国際調査報告】
2020022292.tif 000009
2020022292.tif 000010
2020022292.tif 000011
2020022292.tif 000012